(57)【要約】【課題】振り抜けの良いアイアンゴルフクラブヘッドおよびアイアンゴルフクラブを提供する。【解決手段】アイアンゴルフクラブヘッド１０は、フェース部１と、フェース部１の後方に位置するバック部２と、フェース部１とバック部２とを接続するソール部３とを備えている。ソール部３の最下点３ｍを通りフェース部１に刻まれたスコアラインに対して垂直な断面における、ソール部３の最下点３ｍからフェース部１の平面部分１ａの最下端縁１ｍまでの高さＨに対するフェース部１からバック部２に向かう前後方向ＢＦでのソール部３の前端３ｆからソール部３の最下点３ｍまでの水平距離Ｄの比が１．７以下であり、かつソール部３の前後方向ＢＦの幅Ｗに対する前後方向ＢＦでのソール部３の前端３ｆからソール部３の最下点３ｍまでの水平距離Ｄの比が０．６以下である。【選択図】図３
2013000161.tif 000002
【特許請求の範囲】
【請求項１】
フェース部と、
前記フェース部の後方に位置するバック部と、
前記フェース部と前記バック部とを接続するソール部とを備え、
前記ソール部の最下点を通り前記フェース部に刻まれたスコアラインに対して垂直な断面における、
前記ソール部の最下点から前記フェース部の平面部分の最下端縁までの高さに対する前記フェース部から前記バック部に向かう前後方向での前記ソール部の前端から前記ソール部の最下点までの水平距離の比が１．７以下であり、かつ
前記ソール部の前記前後方向の幅に対する前記前後方向での前記ソール部の前端から前記ソール部の最下点までの水平距離の比が０．６以下である、アイアンゴルフクラブヘッド。
【請求項２】
前記ソール部は、前記ソール部の前端から前記ソール部の最下点までの水平距離の長さを短くするように設けられた面取部を含む、請求項１に記載のアイアンゴルフクラブヘッド。
【請求項３】
４８°以上のロフト角を有する、請求項１または２に記載のアイアンゴルフクラブヘッド。
【請求項４】
シャフトと、
前記シャフトの一方端に取り付けられたグリップと、
前記シャフトの前記グリップと反対側の他方端に取り付けられた請求項１〜３のいずれかに記載のアイアンゴルフクラブヘッドとを備えた、アイアンゴルフクラブ。
【発明の詳細な説明】
【技術分野】
【０００１】
本発明は、アイアンゴルフクラブヘッドおよびアイアンゴルフクラブに関するものである。
【背景技術】
【０００２】
アイアンゴルフクラブでは、ゴルフボールの飛距離よりも、ゴルフボールをグリーンなどに正確に落下させる正確なショットが重視されている。正確なショットを実現するためには、ゴルフボールがグリーンなどに落下した後の転がり（ラン）を減らすことが求められる。ランを減らすためにはゴルフボールのバックスピン量を増やすことが有効である。
【０００３】
たとえば、特開２００５−２１１５６０号公報（特許文献１）には、従来に比べてより多くのバックスピン量をゴルフボールに与えることで正確な位置にゴルフボールを飛ばして止めることを目的とするゴルフクラブヘッドが開示されている。
【先行技術文献】
【特許文献】
【０００４】
【特許文献１】特開２００５−２１１５６０号公報
【発明の概要】
【発明が解決しようとする課題】
【０００５】
正確なショットを実現するためには、上述のランを減らすことの他に、打球の方向性を安定させることが求められる。打球の方向性を安定させるためにはアイアンゴルフクラブヘッドの振り抜けを良くすることが有効である。
【０００６】
しかしながら、上記公報に記載されたゴルフクラブヘッドでは、ゴルフボール打撃時にソール面の最下点が地面と接触してバウンスする時に生じるフェース部の回転によるギア効果によってバックスピン量が増やされる。この際、ゴルフクラブヘッドを振り抜く方向とは反対方向にフェース部が大きく回転する。このフェース部の回転のため、ゴルフクラブヘッドの振り抜けが悪くなる。
【０００７】
本発明は、上記課題を鑑みてなされたものであり、その目的は、振り抜けの良いアイアンゴルフクラブヘッドおよびアイアンゴルフクラブを提供することである。
【課題を解決するための手段】
【０００８】
本発明のアイアンゴルフクラブヘッドは、フェース部と、フェース部の後方に位置するバック部と、フェース部とバック部とを接続するソール部とを備えている。ソール部の最下点を通りフェース部に刻まれたスコアラインに対して垂直な断面における、ソール部の最下点からフェース部の平面部分の最下端縁までの高さに対するフェース部からバック部に向かう前後方向でのソール部の前端からソール部の最下点までの水平距離の比が１．７以下であり、かつソール部の前後方向の幅に対する前後方向でのソール部の前端からソール部の最下点までの水平距離の比が０．６以下である。
【０００９】
ここで、ソール部の最下点とは、設定されているロフト角およびライ角をなすように水平面にアイアンゴルフクラブヘッドが設置された状態（以下、設置状態という。）でのソール部の最も下に位置する点を意味している。また、フェース部の平面部分の最下端縁とは、ソール部の最下点を通り、フェース上のスコアラインに対して垂直に切断した断面における、フェース部の平面部分の最下端を意味している。また、フェース部からバック部に向かう前後方向とは、設置状態での水平面に対して平行にフェース部からバック部に向かう方向を意味している。
【００１０】
発明者等は、インパクト直前の２点間のアイアンゴルフクラブヘッドの速度（Ｓｐｅｅｄ  ｉｎ）に対するインパクト直後の２点間のアイアンゴルフクラブヘッドの速度（Ｓｐｅｅｄ  ｏｕｔ）の比（Ｓｐｅｅｄ  ｒａｔｉｏ）の値が大きいと振り抜けが良いことを見出した。
【００１１】
そして、発明者等が鋭意検討したところ、ソール部の最下点からフェース部の平面部分の最下端縁までの高さに対するフェース部からバック部に向かう前後方向でのソール部の前端からソール部の最下点までの水平距離の比が１．７以下であり、かつソール部の前後方向の幅に対する前後方向でのソール部の前端からソール部の最下点までの水平距離の比が０．６以下であることにより、Ｓｐｅｅｄ  ｒａｔｉｏの値が大きくなるという知見を得た。つまり、これにより、アイアンゴルフクラブヘッドの振り抜けを良くすることができる。
【００１２】
上記のアイアンゴルフクラブヘッドでは、好ましくは、ソール部は、ソール部の前端からソール部の最下点までの水平距離の長さを短くするように設けられた面取部を含む。面取部がソール部の前端からソール部の最下点までの水平距離の長さを短くするように設けられているため、ソール部の底面と芝および地面との接触面積を抑制することができる。そのため、さらにアイアンゴルフクラブヘッドの振り抜けを良くすることができる。
【００１３】
上記のアイアンゴルフクラブヘッドは、好ましくは、４８°以上のロフト角を有する。本発明は、４８°以上のロフト角を有するウェッジのアイアンゴルフクラブヘッドに特に有用である。
【００１４】
本発明のアイアンゴルフクラブは、シャフトと、シャフトの一方端に取り付けられたグリップと、シャフトの前記グリップと反対側の他方端に取り付けられた上記のアイアンゴルフクラブヘッドとを備えている。これにより、振り抜けの良いアイアンゴルフクラブを得ることができる。
【発明の効果】
【００１５】
以上説明したように、本発明のアイアンゴルフクラブヘッドおよびアイアンゴルフクラブによれば、アイアンゴルフクラブヘッドおよびアイアンゴルフクラブの振り抜けを良くすることができる。
【図面の簡単な説明】
【００１６】
【図１】本発明の一実施の形態におけるアイアンゴルフクラブヘッドの概略正面図である。
【図２】図１のＩＩ−ＩＩ線に沿う概略断面図である。
【図３】図２のＰ部の概略拡大図である。
【図４】本発明の一実施の形態におけるアイアンゴルフクラブの概略背面図である。
【図５】本発明の一実施の形態における変形例のアイアンゴルフクラブヘッドの概略拡大断面図であって、図３に対応する断面位置での概略拡大断面図である。
【図６】本発明の一実施の形態における変形例のアイアンゴルフクラブの概略背面図である。
【図７】本発明例１〜２および比較例３〜７のＳｐｅｅｄ  ｒａｔｉｏとＤ／Ｈとの関係を示す図である。
【図８】本発明例１〜２および比較例３〜７のＳｐｅｅｄ  ｒａｔｉｏとＤ／Ｗとの関係を示す図である。
【図９】本発明例１〜２および比較例３〜７のＳｐｅｅｄ  ｒａｔｉｏとバックスピン量との関係を示す図である。
【図１０】本発明例１１〜１２および比較例１３〜１７のＳｐｅｅｄ  ｒａｔｉｏとＤ／Ｈとの関係を示す図である。
【図１１】本発明例１１〜１２および比較例１３〜１７のＳｐｅｅｄ  ｒａｔｉｏとＤ／Ｗとの関係を示す図である。
【図１２】本発明例１１〜１２および比較例１３〜１７のＳｐｅｅｄ  ｒａｔｉｏとバックスピン量との関係を示す図である。
【発明を実施するための形態】
【００１７】
以下、本発明の一実施の形態について図に基づいて説明する。
最初に本発明の一実施の形態のアイアンゴルフクラブヘッドの構成について説明する。
【００１８】
図１は本実施の形態に係るアイアンゴルフクラブヘッドの正面図を、図２は図１におけるＩＩ−ＩＩ断面図を、また、図３は図２中の符号Ｐで囲まれる領域を拡大した図をそれぞれ表わす。
【００１９】
図１ないし図３を参照して、アイアンゴルフクラブヘッド１０は、フェース部１と、バック部２と、ソール部３と、ホーゼル部４と、スコアライン部５と、リーディングエッジ部６と、トウ部７と、ヒール部８と、トップエッジ部９とを主に有している。
【００２０】
フェース部１は平面部分１ａを有している。平面部分１ａが打球面を構成している。フェース部１の打球面に複数のスコアライン（溝）部５が形成されている。複数のスコアライン部５は、フェース部１の打球面を縦断する方向に略等間隔で形成されており、打球面を横断する方向に直線状に形成されている。フェース部１は、平面部分１ａからリーディングエッジ部６に向かって湾曲する湾曲部分１ｂを有している。
【００２１】
バック部２はフェース部１の後方（背面）に位置している。フェース部１の周囲にソール部３、ホーゼル部４、リーディングエッジ部６、トウ部７、ヒール部８、トップエッジ部９が位置している。ソール部３はフェース部１とバック部２とを接続するように設けられている。ソール部３は設置状態で側面視、及び正面視のいずれにおいても下方に凸状に形成されている。ソール部３はアイアンゴルフクラブヘッド１０の底部を構成する部分である。
【００２２】
ホーゼル部４はシャフト（図４）に接続される部分である。リーディングエッジ部６はフェース部１とソール部３とが接する部分である。トウ部７はホーゼル部４から離れた側のトップエッジ部９とソール部３とを接続する部分である。ヒール部８はホーゼル部４の下端からソール部３に至る部分である。トップエッジ部９はホーゼル部４からトウ部７に至るアイアンゴルフクラブヘッド１０の上端縁部を構成する部分である。
【００２３】
図２および図３を参照して、アイアンゴルフクラブヘッド１０では、ソール部３の最下点３ｍからフェース部１の平面部分１ａの最下端縁１ｍまでの高さＨに対して、フェース部１からバック部２に向かう前後方向ＢＦでのソール部３の前端３ｆからソール部３の最下点３ｍまでの水平距離Ｄの比（Ｄ／Ｈ）が１．７以下となるように構成されている。
【００２４】
ここで、ソール部３の最下点３ｍは、設定されているロフト角ＬＯおよびライ角ＬＩをなすように水平面ＨＰにアイアンゴルフクラブヘッドが設置された状態（設置状態）でのソール部３の最も下に位置する点である。また、フェース部１の平面部分１ａの最下端縁１ｍは、ソール部３の最下点３ｍを通り、スコアライン部５に対して垂直に切断した断面（最下点断面ＣＳ１）における、フェース部１の平面部分１ａの最下端である。ソール部３の前端３ｆはリーディングエッジ部６に位置している。
【００２５】
高さＨは、ソール部３の最下点３ｍと、フェース部１の平面部分１ａの最下端縁１ｍとの垂直距離である。距離Ｄは、ソール部３の最下点３ｍと、最下点断面ＣＳ１でのリーディングエッジ部６の最突出部（ソール部３の前端）３ｆとの水平距離である。すなわち、最下点断面ＣＳ１において、ソール部３の最下点３ｍと、最突出部３ｆから水平面ＨＰに垂直に立てた仮想直線が水平面ＨＰと当接する点との水平距離である。
【００２６】
アイアンゴルフクラブヘッド１０では、ソール部３の前後方向ＢＦの幅Ｗに対する前後方向ＢＦでの最突出部（ソール部３の前端）３ｆからソール部３の最下点３ｍまでの水平距離Ｄの比（Ｄ／Ｗ）が０．６以下となるように構成されている。
【００２７】
ここで、フェース部１からバック部２に向かう前後方向ＢＦは、設置状態での水平面ＨＰに対して平行にフェース部１からバック部２に向かう方向である。また、ソール部３の前後方向ＢＦの幅Ｗは、最下点断面ＣＳ１でのリーディングエッジ部６の最突出部３ｆと、ソール部３の後端３ｂ、すなわち、バック部２とソール部３との接続点となるトレーリングエッジ部との水平距離である。
【００２８】
アイアンゴルフクラブヘッド１０のロフト角ＬＯは、通常のアイアンゴルフクラブヘッド１０のロフト角ＬＯであればよい。アイアンゴルフクラブヘッド１０は、たとえば１６°以上６４°以下のロフト角ＬＯを有するように設定されていてもよい。アイアンゴルフクラブヘッド１０は、４８℃以上のロフト角ＬＯを有するように構成されていることが好ましい。
【００２９】
アイアンゴルフクラブヘッド１０は、たとえばＪＩＳ規格Ｓ２５Ｃを含む素材を用いて作製することができる。また、アイアンゴルフクラブヘッド１０の材料としては、ばね鋼、マレージング鋼、ステンレス鋼などが適用され得る。アイアンゴルフクラブヘッド１０は、鍛造で製造されていてもよい。また、アイアンゴルフクラブヘッド１０にはめっきが施されていてもよい。めっきは、たとえば、Ｎｉ（ニッケル）−Ｃｒ（クロム）めっきであってもよい。
【００３０】
図４を参照して、アイアンゴルフクラブヘッド１０にシャフト２１およびグリップ２２を組み合わせることでアイアンゴルフクラブ２０が構成される。アイアンゴルフクラブ２０は、シャフト２１と、シャフト２１の一方端に取り付けられたグリップ２２と、シャフト２１のグリップ２２と反対側の他方端に取り付けられたアイアンゴルフクラブヘッド１０とを有している。なお、シャフト２１およびグリップ２２は周知のものを採用可能である。また、アイアンゴルフクラブヘッド１０のホーゼル部４に隣接するようにシャフト２１にソケット２３が取り付けられている。
【００３１】
また、アイアンゴルフクラブヘッド１０のバック部２はソール部３と連続する部分が面取りされていてもよい。
【００３２】
図５および図６を参照して、本発明の一実施の形態の変形例１のアイアンゴルフクラブヘッド１０は、ソール部３の後端３ｂを基準として、ソール部３と連続する部分に面取部（テーパ部）１１を有している。面取部１１はソール部３の距離Ｄの長さを短くするように設けられている。面取部１１は、ソール部３のバック部２側の後端を除去するように構成されている。
【００３３】
次に、本発明の一実施の形態の作用効果について説明する。
発明者等は、インパクト直前の２点間のアイアンゴルフクラブヘッド１０の速度に対するインパクト直後の２点間のアイアンゴルフクラブヘッド１０の速度の比（Ｓｐｅｅｄ  ｒａｔｉｏ）の値が大きいと振り抜けが良いことを見出した。
【００３４】
そして、発明者等が鋭意検討したところ、ソール部３の最下点３ｍからフェース部１の平面部分１ａの最下端縁１ｍまでの高さＨに対するフェース部１からバック部２に向かう前後方向ＢＦでのソール部３の前端３ｆからソール部３の最下点３ｍまでの距離Ｄの比（Ｄ／Ｈ）が１．７以下であり、かつソール部３の前後方向ＢＦの幅Ｗに対する前後方向ＢＦでのソール部３の前端３ｆからソール部３の最下点３ｍまでの距離Ｄの比（Ｄ／Ｗ）が０．６以下であることにより、Ｓｐｅｅｄ  ｒａｔｉｏの値が大きくなるという知見を得た。つまり、これにより、アイアンゴルフクラブヘッド１０の振り抜けを良くすることができる。したがって、アイアンゴルフクラブヘッド１０の振り抜けを良くすることで正確なショットを実現することができる。
【００３５】
また、発明者等が検討したところ、上述のように高さＨに対する距離Ｄの比（Ｄ／Ｈ）が１．７以下であり、幅Ｗに対する距離Ｄの比（Ｄ／Ｗ）が０．６以下であることにより、バックスピン量を増やすことができるという知見を得た。バックスピン量を増やすことができる理由は次のように考えられる。アイアンゴルフクラブヘッド１０の振り抜けを良くすることで、インパクト前後でのアイアンゴルフクラブヘッド１０の速度の減速を抑制することができる。その結果、ゴルフボールとアイアンゴルフクラブヘッド１０の接触面積を大きくすることができるので、バックスピン量を増やすことができる。
【００３６】
このため、アイアンゴルフクラブヘッド１０のスピン性能を向上することができる。したがって、アイアンゴルフクラブヘッド１０によれば、バックスピン量を増やすことでランを減らすことができる。これによっても、正確なショットを実現することができる。
【００３７】
本発明の一実施の形態のアイアンゴルフクラブヘッド１０では、ソール部３は、距離Ｄの長さを短くするように、ソール部３の後端３ｂを基準として設けられた面取部１１を含むことが好ましい。面取部１１がソール部３の距離Ｄの長さを短くするように設けられているため、ソール部３の幅Ｗの長さを変えることなく最下点３ｍの位置を調整することができ、Ｄ／Ｗ、Ｄ／Ｈの値を任意に調整することが可能となる。また面取部１１を設けることで、ソール部３の底面１２と芝および地面との接触面積を抑制することができる。そのため、さらにアイアンゴルフクラブヘッド１０の振り抜けを良くすることができる。
【００３８】
本発明の一実施の形態のアイアンゴルフクラブヘッド１０では、アイアンゴルフクラブヘッド１０は４８°以上のロフト角を有することが好ましい。本発明の一実施の形態のアイアンゴルフクラブヘッド１０は、４８°以上のロフト角を有するウェッジのアイアンゴルフクラブヘッドに特に有用（効果的）である。
【００３９】
本発明の一実施の形態のアイアンゴルフクラブ２０は、上記のアイアンゴルフクラブヘッド１０とを備えている。これにより、振り抜けの良いアイアンゴルフクラブ２０を得ることができる。
【実施例】
【００４０】
以下、本発明の実施例について説明する。なお、上記と同一または相当する部分に同一の参照符号を付し、その説明を繰り返さない場合がある。
【００４１】
表１において、本発明例１〜２は本発明の実施例である。比較例３〜７は本発明に対する比較例である。本発明例１〜２および比較例３〜７は表１に示されたスペックを備えたアイアンゴルフクラブ２０である。本発明例１〜２および比較例３〜７のアイアンゴルフクラブ２０は４８°のロフト角を有するウェッジである。
【００４２】
【表１】
2013000161.tif 000003
【００４３】
表１の符号Ｄ、Ｗ、Ｈは、図３における同一の符号を示している。表１の符号Ｄ／Ｈは、高さＨに対する距離Ｄの比を示し、Ｄ／Ｗは幅Ｗに対する距離Ｄの比を示している。表１のＤ（ｍｍ）、Ｗ（ｍｍ）、Ｈ（ｍｍ）の値は、図３における同一の符号の寸法を示している。また、表１のＳｒの値はＳｐｅｅｄ  ｒａｔｉｏの値を示し、ＢＳ（ｒｐｍ）はバックスピン量（バックスピンの回転数毎分）を示している。
【００４４】
Ｓｐｅｅｄ  ｒａｔｉｏの測定方法について説明する。
株式会社Ｐｈｏｔｏｒｏｎ製ＦＡＳＴＣＡＭ−ＭＡＸ１２０ＫＣを用いて本発明例１〜２および比較例３〜７のアイアンゴルフクラブ２０でゴルフボールを打つ際のインパクトの前後を撮影した。試打者の正面方向より前方１．６ｍ程度から撮影した。解像度は１０２４×２５６ドットとした。１秒あたり８０００コマ、シャッター速度１／２４０００秒で１２０フレームを記録した。
【００４５】
撮影した写真からインパクト最直前のコマを目視にて確認した。シャフト露出部先端と、シャフト露出部先端から２０ｍｍ上方とをデジタイズした。そして画面座標から実座標へ変換した。なおＸ座標軸は水平面と平行とした。Ｙ座用軸は水平面に垂直とした。
【００４６】
インパクト最直前のコマと、そのコマから１５／８０００秒前のコマとからインパクト直前の２点間のアイアンゴルフクラブヘッド１０の速度（Ｓｐｅｅｄ  ｉｎ）を算出した。一方、インパクト後ボールが離れたコマとそのコマから４０／８０００秒後のコマとからインパクト直後の２点間のアイアンゴルフクラブヘッド１０の速度（Ｓｐｅｅｄ  ｏｕｔ）を算出した。そしてインパクト直前の２点間のアイアンゴルフクラブヘッド１０の速度（Ｓｐｅｅｄ  ｉｎ）に対するインパクト直後の２点間のアイアンゴルフクラブヘッド１０の速度（Ｓｐｅｅｄ  ｏｕｔ）の比（Ｓｐｅｅｄ  ｒａｔｉｏ）を算出した。
【００４７】
バックスピン量の測定方法について説明する。
株式会社ミヤマエ製メカニカルゴルファーを用いて本発明例１〜２および比較例３〜７のアイアンゴルフクラブ２０でゴルフボールを打ってバックスピンの回転数毎分を計測した。具体的には、ヘッドスピードを１７．３ｍ／秒に設定したときのバックスピンの回転数毎分を計測した。
【００４８】
本発明例１〜２および比較例３〜７のアイアンゴルフクラブ２０で、各５球ずつゴルフボールを打った。表１のＢＳ（ｒｐｍ）の欄には、各５球ずつ打ったゴルフボールのバックスピン回転数毎分の平均値を記載した。ゴルフボールは、Ｔｉｔｌｅｓｔ  Ｐｒｏ  Ｖ１を使用した。打点の位置は、スコアラインセンター（フェース部１のスコアライン部５の長手方向の中央部）で、トップエッジ部９から２本目のスコアライン部５とソール部３から３本目のスコアライン部５との間とした。ゴルフボールのバックスピン回転数毎分は、Ｉｎｔｅｒａｃｔｉｖｅ  Ｓｐｏｒｔｓ  Ｇａｍｅｓ社製弾道測定器トラックマンで測定した。
【００４９】
表１および図７を参照して、本発明例１および本発明例２のＳｐｅｅｄ  ｒａｔｉｏの値は０．９５０以上０．９５３以下となった。それに対して、比較例３〜７のＳｐｅｅｄ  ｒａｔｉｏの値は０．８８３以上０．９２２以下となった。これより、本発明例１および本発明例２のＳｐｅｅｄ  ｒａｔｉｏの値は、比較例３〜７のＳｐｅｅｄ  ｒａｔｉｏの値より大きくなることがわかった。
【００５０】
本発明例１および本発明例２のＤ／Ｈの値は１．５以上１．７以下となった。それに対して、比較例３〜７のＤ／Ｈの値は１．７以上２．８以下となった。なお、比較例３のＤ／Ｈの値は１．７であるが、Ｓｐｅｅｄ  ｒａｔｉｏの値は０．９０１となり本発明例１および本発明例２より小さくなった。
【００５１】
表１および図８を参照して、本発明例１および本発明例２のＤ／Ｗの値は０．５００以上０．６００以下となった。それに対して、比較例３〜７のＤ／Ｗの値は０．６００以上０．８６２以下となった。なお、比較例４のＤ／Ｗの値は０．６００であるがＳｐｅｅｄ  ｒａｔｉｏの値は０．９０５となり本発明例１および本発明例２より小さくなった。
【００５２】
以上より、Ｄ／Ｈの値が１．７以下であり、かつＤ／Ｗの値が０．６以下であることにより、Ｓｐｅｅｄ  ｒａｔｉｏの値が大きくなることがわかった。
【００５３】
さらに、本願発明者等は、本発明例１〜２および比較例３〜７のアイアンゴルフクラブ２０のそれぞれについて５名の被験者（被験者Ａ〜Ｅ）による試打試験を行った。
【００５４】
【表２】
2013000161.tif 000004
【００５５】
表２を参照して、表中の○は振り抜けが良いことを示し、△は振り抜けが普通であることを示し、×は振り抜けが悪いことを示している。表２に示すとおり、試打試験を行ったすべての被験者が本発明例１および本発明例２のアイアンゴルフクラブ２０の振り抜けが良いと判定した。一方、比較例３〜７では、すべての被験者が振り抜けが良いと判定したものはなかった。
【００５６】
そして、Ｓｐｅｅｄ  ｒａｔｉｏが高い本発明例２、本発明例１、及び比較例６の順に振り抜けの評価を見ていくと、Ｓｐｅｅｄ  ｒａｔｉｏの値が、少なくとも本発明例１のものよりも大きければ、振り抜けの評価が確実に高くなることが分かる。すなわちＤ／Ｈの値が１．７以下であり、かつＤ／Ｗの値が０．６以下とすることで、振り抜け評価が良好なＳｐｅｅｄ  ｒａｔｉｏの値を得ることができる。
【００５７】
また、表１および図９を参照して、本発明例１および本発明例２のバックスピン量の値は５１８０ｒｐｍ以上５２００ｒｐｍ以下となった。それに対して、比較例３〜７のバックスピン量の値は４６５３ｒｐｍ以上５０２４ｒｐｍ以下となった。これより、本発明例１および本発明例２のバックスピン量の値は、比較例３〜７のバックスピン量の値より大きくなることがわかった。
【００５８】
本発明例１〜２および比較例３〜７について、Ｓｐｅｅｄ  ｒａｔｉｏの値の大きさの順番とバックスピン量の値の大きさの順番とは一致する。したがって、Ｓｐｅｅｄ  ｒａｔｉｏの値の大きさとバックスピン量の値の大きさとは比例することがわかった。そのため、Ｓｐｅｅｄ  ｒａｔｉｏの値が大きいとバックスピン量の値が大きくなることがわかった。つまり、振り抜けが良くなるとバックスピン量の値が大きくなることがわかった。
【００５９】
次に、５番アイアン（５Ｉ）について、上述のウェッジと同様に検討した。
なお、バックスピンの回転数毎分の計測に関しては、上述の株式会社ミヤマエ製メカニカルゴルファーにおいて、ヘッドスピードを２３．２ｍ／秒に設定している。
【００６０】
本発明例１１〜１２は本発明の実施例である。比較例１３〜１７は本発明に対する比較例である。本発明例１１〜１２および比較例１３〜１７は表３に示されたスペックを備えたアイアンゴルフクラブ２０である。本発明例１１〜１２および比較例１３〜１７のアイアンゴルフクラブ２０は２７°のロフト角を有する５番アイアン（５Ｉ）である。なお、表３の符号は表１の符号と同じである。
【００６１】
【表３】
2013000161.tif 000005
【００６２】
表３および図１０を参照して、本発明例１１および本発明例１２のＳｐｅｅｄ  ｒａｔｉｏの値は０．９６７以上０．９７２以下となった。それに対して、比較例１３〜１７のＳｐｅｅｄ  ｒａｔｉｏの値は０．８５２以上０．９０４以下となった。これより、本発明例１１および本発明例１２のＳｐｅｅｄ  ｒａｔｉｏの値は、比較例１３〜１７のＳｐｅｅｄ  ｒａｔｉｏの値より大きくなることがわかった。
【００６３】
本発明例１１および本発明例１２のＤ／Ｈの値は１．５以上１．７以下となった。それに対して、比較例１３〜１７のＤ／Ｈの値は１．７以上２．６以下となった。なお、比較例１６のＤ／Ｈの値は１．７であるが、Ｓｐｅｅｄ  ｒａｔｉｏの値は０．９０３となり本発明例１および本発明例２より小さくなった。
【００６４】
表３および図１１を参照して、本発明例１１および本発明例１２のＤ／Ｗの値は０．５００以上０．６００以下となった。それに対して、比較例１３〜１７のＤ／Ｗの値は０．６００以上０．８６２以下となった。なお、比較例１７のＤ／Ｗの値は０．６００であるがＳｐｅｅｄ  ｒａｔｉｏの値は０．９０４となり本発明例１および本発明例２より小さくなった。
【００６５】
以上より、５Ｉについても上述のウェッジと同様に、Ｄ／Ｈの値が１．７以下であり、かつＤ／Ｗの値が０．６以下であることにより、Ｓｐｅｅｄ  ｒａｔｉｏの値が大きくなることがわかった。
【００６６】
また、表１および図９を参照して、本発明例１１および本発明例１２のバックスピン量の値は５１０２ｒｐｍ以上５３０５ｒｐｍ以下となった。それに対して、比較例１３〜１７のバックスピン量の値は４８７４ｒｐｍ以上５００４ｒｐｍ以下となった。これより、本発明例１１および本発明例１２のバックスピン量の値は、比較例１３〜１７のバックスピン量の値より大きくなることがわかった。
【００６７】
本発明例１〜２および比較例３〜７について、Ｓｐｅｅｄ  ｒａｔｉｏの値が大きくなるとバックスピン量の値が大きくなる傾向がある。そのため、５番アイアン（５Ｉ）についてもＳｐｅｅｄ  ｒａｔｉｏが大きくなるとバックスピン量が大きくなるといえる。
【００６８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００６９】
本発明は、アイアンゴルフクラブヘッドおよびアイアンゴルフクラブに特に有利に適用され得る。
【符号の説明】
【００７０】
１  フェース部、１ａ  平面部分、１ｂ  湾曲部分、１ｍ  フェース部の最下端縁、２  バック部、３  ソール部、３ｆ  ソール部の前端、３ｍ  ソール部の最下点、４  ホーゼル部、５  スコアライン部、６  リーディングエッジ部、７  トウ部、８  ヒール部、９  トップエッジ部、１０  アイアンゴルフクラブヘッド、１１  面取部、１２  ソール部の底面、２０  アイアンゴルフクラブ、２１  シャフト、２２  グリップ、２３  ソケット。
【図１】
2013000161.tif 000006
【図２】
2013000161.tif 000007
【図３】
2013000161.tif 000008
【図４】
2013000161.tif 000009
【図５】
2013000161.tif 000010
【図６】
2013000161.tif 000011
【図７】
2013000161.tif 000012
【図８】
2013000161.tif 000013
【図９】
2013000161.tif 000014
【図１０】
2013000161.tif 000015
【図１１】
2013000161.tif 000016
【図１２】
2013000161.tif 000017